(57)【要約】【課題】組み立て作業を容易に行うことができ、しかも発射位置の遊技球を検出スイッチで確実に検出することが可能な弾球遊技機を提供する。【解決手段】発射手段によって発射された遊技球を遊技盤側に案内する発射レール１６と、この発射レール１６上に供給された遊技球を発射位置に位置決めするストッパー６４と、発射位置の遊技球を検出する検出スイッチ６５とを備え、ストッパー６４と、検出スイッチ６５を保持するスイッチ保持部６６とを一体に形成したものである。【選択図】　図６
2004097271.tif 000002
【特許請求の範囲】
【請求項１】
発射手段（１４）によって発射された遊技球を遊技盤（１２）側に案内する発射レール（１６）と、該発射レール（１６）上に供給された遊技球を発射位置（Ａ）に位置決めするストッパー（６４）と、前記発射位置（Ａ）の遊技球を検出する検出スイッチ（６５）とを備えた弾球遊技機において、前記ストッパー（６４）と、前記検出スイッチ（６５）を保持するスイッチ保持部（６６）とを一体に形成したことを特徴とする弾球遊技機。
【請求項２】
前記ストッパー（６４）と前記スイッチ保持部（６６）とを一体に備えた発射位置部材（４８）及び前記発射レール（１６）を、共に取り付け板（４９）を介して遊技機本体側の所定位置に取り付けたことを特徴とする請求項１に記載の弾球遊技機。
【請求項３】
前記スイッチ保持部（６６）を前記ストッパー（６４）の発射方向下流側に設け、前記スイッチ保持部（６６）に装着した前記検出スイッチ（６５）が前記発射位置（Ａ）に位置決めされた遊技球の略上側に配置されるように構成されていることを特徴とする請求項１又は２に記載の弾球遊技機。
【請求項４】
前記発射位置（Ａ）に位置決めされた遊技球と前記スイッチ保持部（６６）に保持された前記検出スイッチ（６５）との間に検出開口部（７８ａ）を設けたことを特徴とする請求項１〜３の何れかに記載の弾球遊技機。
【請求項５】
前記スイッチ保持部（６６）の発射方向下流側に、遊技球を前記発射レール（１６）上に案内する傾斜案内部（７８ｃ）を設けたことを特徴とする請求項１〜４の何れかに記載の弾球遊技機。
【請求項６】
前記スイッチ保持部（６６）の後部側に、前記検出スイッチ（６５）を前記スイッチ保持部（６６）に対して後側から前後方向に着脱するための着脱開口部（７６）を設けたことを特徴とする請求項１〜５の何れかに記載の弾球遊技機。
【請求項７】
前記スイッチ保持部（６６）の前部側に、前記検出スイッチ（６５）側に係合して前記検出スイッチ（６５）の所定方向への移動を規制する係合部（７９ａ）〜（７９ｃ）を設けたことを特徴とする請求項６に記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
弾球遊技機、例えば１ゲーム毎に所定数の遊技球を遊技盤側に発射して遊技を行うアレンジボール機では、発射手段によって発射された遊技球を遊技盤側に案内する発射レールと、この発射レール上に供給された遊技球を発射位置に位置決めするストッパーと、発射位置の遊技球を検出する検出スイッチとを備え、発射手段の打撃槌によりストッパーの下側から発射レール上の遊技球を打撃して遊技盤側に発射させると共に、そのときの検出スイッチからの検出信号に基づいて遊技球の発射個数を計数するようになっている。
【０００３】
この種の弾球遊技機では、例えば発射レールとストッパーとは遊技盤を下側から支持する支持板にその前側から金属板製の取り付け板を介して取り付けられ、検出スイッチは、支持板の後側から装着されてその支持板に例えば一体に設けられたスイッチ保持部により保持されるようになっている。また、取り付け板には、発射位置に対応して前後に貫通する検出窓を形成し、この検出窓をストッパーと一体に形成された合成樹脂製の閉鎖板で閉鎖して、その閉鎖板の後側の検出スイッチにより閉鎖板を介して発射位置の遊技球を検出するようになっている（例えば、特許文献１参照）。
【特許文献１】
特開平１０−２１１３２２号公報
【０００４】
【発明が解決しようとする課題】
このような従来の弾球遊技機では、組み立てを行う場合、発射レールやストッパーについては予め取り付け板に取り付けた状態で支持板に前側から装着し、検出スイッチはそれとは別に支持板の裏側からスイッチ保持部に装着する必要があるため、作業工程が煩雑になると共に、部品点数が増加する等の問題点があった。
【０００５】
また、この種の弾球遊技機では、遊技球の正確な発射動作及び正確な発射検出を行う上で発射レール、ストッパー、検出スイッチの三者の相対位置が非常に重要となるが、従来は発射レールとストッパーとは１つの取り付け板に取り付けられて支持板に装着されるのに対し、検出スイッチはそれらとは別に単独で支持板に取り付けられるため、発射レール及びストッパーと、検出スイッチとの相対位置にズレが生じやすく、正確な発射検出が行えない可能性があった。
【０００６】
本発明は、このような従来の問題点に鑑み、組み立て作業を容易に行うことができ、しかも発射位置の遊技球を検出スイッチで確実に検出することが可能な弾球遊技機を提供することを目的とする。
【０００７】
【課題を解決するための手段】
本発明は、発射手段１４によって発射された遊技球を遊技盤１２側に案内する発射レール１６と、該発射レール１６上に供給された遊技球を発射位置Ａに位置決めするストッパー６４と、前記発射位置Ａの遊技球を検出する検出スイッチ６５とを備えた弾球遊技機において、前記ストッパー６４と、前記検出スイッチ６５を保持するスイッチ保持部６６とを一体に形成したものである。
【０００８】
【発明の実施の形態】
以下、本発明の実施形態を図面に基づいて詳述する。図１〜図８は本発明をアレンジボール機として具現化した一実施形態を例示している。図１及び図２において、１は外枠、２は前枠で、外枠１の前側に上下一対のヒンジ３を介して開閉自在に枢着されている。４はガラス扉、５は前面板で、これらは前枠２の窓孔６に対応して上下に配置され、前枠２に開閉自在に枢支されている。
【０００９】
７は発射用の遊技球を貯留する上皿で、前面板５の前側に装着され、上皿カバー８により覆われている。また、９は余剰球等を貯留する下皿、１０は灰皿で、これらは前面板５の下側で前枠２の前側に左右に配置され、下皿カバー１１により覆われている。１２は遊技盤で、前枠２の窓孔６に対応するように、前枠２の裏側に設けられた門型状の遊技盤装着枠に裏側から着脱自在に装着され、窓孔６の下部側で前枠２の裏側に装着された支持板１３により下側から支持されている。
【００１０】
１４は発射手段で、前枠２の下部の一端側、例えば右端側に配置されており、前面板５の裏側に装着された球送り手段１５（図３）により発射レール１６上の発射位置Ａに１個ずつ供給される遊技球を発射方向に打撃する打撃槌１７と、この打撃槌１７を発射方向に付勢する付勢バネ１８と、発射モータ１９と、この発射モータ１９の作動により打撃槌１７を付勢バネ１８のバネ圧に抗して反発射方向に間欠的に駆動するカム体２０と、付勢バネ１８のバネ圧を任意に調整する操作ハンドル２１とを備え、単位ゲーム毎に所定数（例えば１６個）の遊技球を遊技盤１２側へと発射させるようになっている。
【００１１】
打撃槌１７、付勢バネ１８、発射モータ１９、カム体２０等は取り付け板（図示省略）を介して前枠２の裏側に装着され、操作ハンドル２１は前枠２の前側に回動操作可能に突設されている。なお、操作ハンドル２１には、遊技者の把持を検出する接触検出スイッチ（図示省略）が設けられている。
【００１２】
遊技盤１２の前面には、図２に示すように、発射手段１４により発射された遊技球を案内するガイドレール２３が環状に装着されると共に、そのガイドレール２３の内側の遊技領域２４内には、その下部に入賞口手段２５が配置され、また入賞口手段２５の上側に液晶表示手段等よりなる図柄表示手段２６、特定入賞手段２７、得点増加手段２８、始動手段２９、作動手段３０，３１、普通入賞手段３２，３３等の各種遊技部品が配置されている。
【００１３】
入賞口手段２５は、図３に示すように、遊技盤１２の開口部１２ａに裏側から着脱自在に装着された入賞ケース３４と、この入賞ケース３４に横一列状等に形成され且つ前側から入賞した遊技球を遊技盤１２の裏側へと誘導する複数個、例えば１６個の入賞口３５と、各入賞口３５に入賞した遊技球を検出する複数個、例えば１６個の入賞検出スイッチ３６とを備え、遊技盤１２に沿って落下する遊技球が何れかの入賞口３５に入賞して、入賞検出スイッチ３６がその遊技球を検出するようになっている。
【００１４】
また、入賞口手段２５は、遊技盤１２に装着された入賞口カバー３７により前側から覆われており、その入賞口カバー３７に、各入賞口３５に対応する複数個、例えば１６個の表示部３８を備えた入賞表示手段３９が設けられている。入賞表示手段３９は、遊技球が何れかの入賞口３５に入賞したときに、それに対応する表示部３８が発光、その他によって入賞を表示するようになっている。各表示部３８には、各入賞口３５に対応して一端側から順番に番号が表示されている。
【００１５】
単位ゲーム中に、例えば連続する４個の表示部３８が発光状態となるなど、入賞表示状態となった表示部３８が予め定められた組み合わせとなって入賞役が成立した場合には、その組み合わせの難易度等に応じて所定数の遊技球が賞球として払い出し手段から払い出されるようになっている。
【００１６】
なお、入賞表示手段３９は、入賞口手段２５よりも上側の遊技領域２４の中央部等に、表示部３８を縦横に所定数（例えば４個ずつ）組み合わせて配置してもよい。
【００１７】
支持板１３は例えば合成樹脂製であって、図２に示すように、遊技盤１２を下側から支持する遊技盤支持部４１、この遊技盤支持部４１の前縁側から上方に突設して設けられた左右一対の起立板部４２、払い出し手段から払い出された遊技球を上皿７側に案内する案内通路４３、ファール球を下皿９側に案内するファール球案内通路４４、前面板５を開いたときに案内通路４３から零れた遊技球を下皿９側に案内する零れ球案内通路４５、裏側からスピーカ４６が装着されるスピーカ装着部４７等が一体に形成されている。ファール球案内通路４４には、ファール球を検出するファール球検出スイッチ４４ａが設けられている。
【００１８】
また、支持板１３の前側には、発射レール１６、発射位置部材４８等が取り付け板４９を介して着脱自在に装着されている。発射レール１６は断面Ｍ字型に折り曲げ成形された板金製であって、取り付け板４９の前側に、ガイドレール２３側の下流側端部１６ｂが上流側端部１６ａよりも高くなるように傾斜した状態で例えばネジ止め等により固定されている。
【００１９】
取り付け板４９は、発射レール１６の配置方向に長い例えば厚手の鉄板等の金属板により構成されており、図４に示すように、発射レール１６に対応して斜め方向に帯状に形成された斜め板部５０と、この斜め板部５０の両端側に水平方向に設けられ且つ斜め板部５０よりも上下方向に幅広に形成された上流側幅広板部５１及び下流側幅広板部５２とを一体に備えている。そして、この取り付け板４９は、複数本の取り付けネジ５３により支持板１３に前側から着脱自在に固定されている。
【００２０】
下流側幅広板部５２の前側には、ガイドレール２３側から発射レール１６側への遊技球の戻りを阻止する戻り球阻止手段５４が、発射レール１６の下流側端部１６ｂの上側近傍に装着されている。戻り球阻止手段５４は、例えば弾性変形可能な細長薄板状の阻止部材５５と、この阻止部材５５の例えば上流端側を下流側幅広板部５２に固定する固定部材５６とを備えている。阻止部材５５は、その下流端側と発射レール１６の下流側端部１６ｂとの隙間が遊技球の直径よりも小さく、且つその下流端側が上流端側よりも低い傾斜状に保持されており、発射方向への遊技球に対しては上向きに弾性変形してその通過を許容し、反発射方向への遊技球はその通過を阻止してファール球案内通路４４側に案内するようになっている。
【００２１】
また、発射レール１６の下流側端部１６ｂには、ガイドレール２３側からの戻り球を衝突させてファール球案内通路４４側に案内する例えば合成樹脂製のファール球当接部材５７が取り付けられている。
【００２２】
上流側幅広板部５１には、図６に示すように切り欠き部５８が形成されている。この切り欠き部５８は、上流側幅広板部５１の上流端側からその上縁部に沿って下流側に向けて横向きに形成された所定幅の横切り欠き部と、その横切り欠き部の下流端側から発射レール１６の発射位置Ａの近傍まで下向きに形成された所定幅の縦切り欠き部とで逆Ｌ字型に形成されており、この切り欠き部５８とその上流側に残された上向き突設部５９とで形成される正面視矩形状の領域が、発射位置部材４８を装着するための発射位置部材装着部６０を形成している。
【００２３】
上向き突設部５９には、その上下方向略中央部分にネジ孔６１が形成され、また例えばそのネジ孔６１の上下２カ所に位置決め孔６２が形成されている。なお、位置決め孔６２は１個以上であればよい。
【００２４】
発射位置部材４８は合成樹脂製であって、図５〜図８に示すように、発射位置部材装着部６０に対応する正面視矩形状の裏板部６３と、発射レール１６上に供給された遊技球を発射位置Ａ（図４）に位置決めするストッパー６４と、発射位置Ａの遊技球を検出する検出スイッチ６５を保持するスイッチ保持部６６とを一体に備えている。
【００２５】
裏板部６３は、その略全体が取り付け板４９と同じ板厚に形成され、切り欠き部５８に対応する嵌合板部６７と、上向き突設部５９に対応し且つ嵌合板部６７よりも取り付け板４９の板厚分だけ前側に偏位して段違い状に形成された固定板部６８とで構成されている。固定板部６８には、その前面側に上向き突設部５９側のネジ孔６１に対応する取り付けネジ用の筒部６９が突設され、また裏面側には上向き突設部５９側の位置決め孔６２に対応する位置決め突起７０が設けられている。
【００２６】
発射位置部材４８は、嵌合板部６３を切り欠き部５８に、固定板部６８の位置決め突起７０を上向き突設部５９側の位置決め孔６２に夫々前側から嵌合させ、筒部６９の前側から上向き突設部５９側のネジ孔６１に取り付けネジ６９ａをねじ込むことにより、嵌合板部６７の前面側が取り付け板４９の前面側と面一の状態で取り付け板４９に固定される。
【００２７】
ストッパー６４は、裏板部６３の上流側縁部に沿って裏板部６３の前側に突設されており、裏板部６３の上流側上端部から上流側縁部に沿って上下方向に設けられた縦板部７１と、この縦板部７１の上端側から発射レール１６に向けて例えば発射レール１６と略直交する方向に設けられた傾斜板部７２と、縦板部７１の下端部と傾斜板部７２の下端部とを接続する底板部７３とで正面視三角状に形成されており、そのストッパー６４の内側に筒部６９が配置されている。
【００２８】
底板部７３は、発射位置部材４８を取り付け板４９の発射位置部材装着部６０を介して支持板１３の前側に装着したとき、打撃槌１７の槌先部１７ａと干渉しないようにその槌先部１７ａの通過経路よりも若干上側に配置されている（図４参照）。また、その底板部７３の下流側の角部は、発射レール１６上の遊技球を規制する球規制部７４となっており、発射レール１６上の発射位置Ａにある遊技球の上端側に上流側から当接して上流側への流下を規制し、その遊技球を発射位置Ａに位置決めするようになっている。
【００２９】
なお、ストッパー６４は、裏板部６３の嵌合板部６７と固定板部６８とに跨って設けられているが、発射位置Ａに位置決めされた遊技球が嵌合板部６７よりも前側に張り出した固定板部６８と干渉しないように、球規制部７４は固定板部６８よりも下流側の嵌合板部６７側に張り出した位置に設けられている。
【００３０】
裏板部６３には、ストッパー６４の傾斜板部７２の下流側に沿って長穴状の開口部７５が形成されている。開口部７５は、その下部側の下部開口部（着脱開口部）７６と、上部側の上部開口部７７とを一体に備えている。下部開口部７６は、検出スイッチ６５が前後方向に通過可能な最小限の大きさに形成されており、その前側で且つストッパー６４の発射方向下流側に、検出スイッチ６５を保持するスイッチ保持部６６が設けられている。上部開口部７７は、下部開口部７６よりもその幅が狭く形成されており、検出スイッチ６５が通過不可能となっている。
【００３１】
なお、支持板１３側には、上部開口部７７に対応する配線孔１３ａ（図３）が形成されている。
【００３２】
検出スイッチ６５には、鋼製の遊技球が発射レール１６の発射位置Ａに来た時にその遊技球を検出するように、磁気感応型の近接スイッチ等が使用されている。この検出スイッチ６５は偏平な略直方体状で、その長手方向一端側（下面側）に検出面６５ａが設けられ、他端側（上面側）にリード線６５ｂが引き出されている。
【００３３】
スイッチ保持部６６は、下部開口部７６の下流側に沿って裏板部６３の前側に突設された保持板部７８と、この保持板部７８の前縁側に設けられた１又は複数、例えば３個の係合突起（係合部）７９ａ〜７９ｃとを備えている。保持板部７８はストッパー６４の傾斜板部７２と平行に設けられ、裏板部６３から前側への突出量はストッパー６４と略等しいか若干大きくなっている。
【００３４】
発射位置部材４８の裏側から下部開口部７６を介して検出面６５ａを発射レール１６側に向けた状態で前向きに挿入された検出スイッチ６５は、保持板部７８と傾斜板部７２との間に、発射レール１６と直交する状態で挟持され、発射／反発射方向への移動が規制される。
【００３５】
このように、スイッチ保持部６６には、保持板部７８と傾斜板部７２との間はその前後方向及び上下方向（発射レール１６に直交する方向）が全て開放しており、検出スイッチ６５の下端側には発射位置Ａに位置決めされた遊技球と検出スイッチ６５の検出面６５ａとの間を連通させる検出開口部７８ａが、上端側には検出スイッチ６５のリード線６５ｂを上部開口部７７に通過させるための配線開口部７８ｂが、夫々形成されている。
【００３６】
なお、スイッチ保持部６６の発射方向下流側、即ち保持板部７８の下流側の傾斜面７８ｃは、遊技球を発射レール１６上に案内する傾斜案内部となっている。また、開口部７５の周縁部には、ストッパー６４と保持板部７８とが設けられている部分を除き、裏板部６３の前面側に所定厚さの厚肉部６３ａが設けられている。
【００３７】
係合突起７９ａ〜７９ｃは、夫々保持板部７８の前縁側の下端部、上下方向中央部、上端部に配置され、上流側に向けて突出状に設けられている。下端側及び上下方向中央の係合突起７９ａ，７９ｂは夫々検出スイッチ６５の前側に設けられた係合溝８０ａ，８０ｂに前側から係合し、上端側の係合突起７９ｃは検出スイッチ６５の上面側に上側から係合して、検出スイッチ６５の上下方向（発射レール１６と直交する方向）及び前側への移動を規制するようになっている。
【００３８】
また、検出スイッチ６５は、下部開口部７６を介してスイッチ保持部６６に装着したとき、その裏面側が裏板部６３の嵌合板部６７の裏面側と面一となるような前後方向幅に形成されており、検出スイッチ６５を装着した発射位置部材４８を取り付け板４９を介して支持板１３の前側に装着したとき、検出スイッチ６５はその裏面側が支持板１３の前面側に略当接して、その後側への移動が規制されるようになっている。
【００３９】
このように、検出スイッチ６５は、スイッチ保持部６６に装着された状態で、その発射／反発射方向への移動を保持板部７８と傾斜板部７２とにより、上下方向（発射レール１６と直交する方向）及び前側への移動を係合突起７９ａ〜７９ｃにより、後側への移動を支持板１３の前面側により、夫々規制されて保持される。このとき、検出スイッチ６５の検出面６５ａが、検出開口部７８ａを介して、発射位置Ａに位置決めされた遊技球の上端側に近接するようになっている。また、検出スイッチ６５のリード線６５ｂは、配線開口部７８ｂから上部開口部７７、支持板１３側の配線孔１３ａを介して支持板１３の裏側に通されて中継基板等のコネクタに接続され、例えば主制御基板側に電気的に接続される。
【００４０】
上記構成のアレンジボール機において、遊技者が発射手段１４の操作ハンドル２１を把持して回動操作すると、発射モータ１９が作動して打撃槌１７が間欠的に揺動し、付勢バネ１８のバネ圧に応じた打撃力により、打撃槌１７の槌先で発射レール１６上の発射位置Ａの遊技球を打撃して遊技盤１２のガイドレール２３側に発射させる。
【００４１】
また発射レール１６上の遊技球を打撃槌１７が打撃して発射させると、その打撃槌１７の打撃動作に連動して球送り手段１５が作動し、上皿７からの遊技球を１個ずつ発射レール１６上に供給して行く。
【００４２】
球送り手段１５が発射レール１６上に遊技球を供給すると、その遊技球は発射レール１６に沿ってストッパー６４側に移動し、その上端側がストッパー６４の球規制部７４に当接して、発射位置Ａに位置決めされる。また遊技球が発射位置Ａでストッパー６４に当接すると、検出スイッチ６５が検出開口部７８ａを介して遊技球を検出する。そして、検出スイッチ６５が遊技球を検出した後、打撃槌１７がその遊技球を打撃して発射させると、検出スイッチ６５の検出状態が非検出状態に変化して、遊技球の発射が検出される。例えば、主制御基板側の計数手段は、この検出スイッチ６５からの検出信号に基づいて発射個数に１ずつ加算して、ゲーム毎の発射個数を計数する。
【００４３】
通常、殆どの遊技球はガイドレール２３に沿って遊技盤１２の上部側に移動し、ガイドレール２３の上端側から遊技領域２４内に入った後、遊技釘等に衝突しながら遊技盤１２に沿って下方に落下する。
【００４４】
しかし、発射力が弱く、ガイドレール２３の途中で遊技球が失速した場合には、その遊技球はファール球となってガイドレール２３に沿って上流側に戻り、ファール球案内通路４４を経て下皿９へと戻されて行く。そして、ファール球がファール球案内通路４４を通過する際に、ファール球検出スイッチ４４ａがそのファール球を検出すると、計数手段がそのゲームにおける発射個数を１減算する。これにより、計数手段によって計数される発射個数は、実際に遊技領域２４内に打ち込まれた実発射個数となる。
【００４５】
以上説明したように、本実施形態では、ストッパー６４と、検出スイッチ６５を保持するスイッチ保持部６６とを一体に形成しているため、例えばストッパー６４と検出スイッチ６５とを一度に取り付けることができ、組み立て作業を極めて容易に行うことができ、作業性が著しく向上する。また、ストッパー６４と検出スイッチ６５との相対位置関係が常に一定となるため、発射位置Ａの遊技球と検出スイッチ６５との位置関係も一定となり、常に正確な発射検出を行うことができるという利点もある。
【００４６】
また、ストッパー６４とスイッチ保持部６６とを一体に備えた発射位置部材４８及び発射レール１６を、共に取り付け板４９を介して遊技機本体側の所定位置、例えば支持板１３の前側に取り付けているため、発射レール１６、ストッパー６４、検出スイッチ６５の三者の相対位置が取り付け板４９を介して常に一定に保持され、発射レール１６及びストッパー６４と、検出スイッチ６５との相対位置のズレを防止でき、より正確な発射検出を行うことができる。
【００４７】
スイッチ保持部６６をストッパー６４の発射方向下流側に設け、スイッチ保持部６６に装着した検出スイッチ６５が発射位置Ａに位置決めされた遊技球の略上側に配置されるように構成されており、しかも発射位置Ａに位置決めされた遊技球とスイッチ保持部６６に保持された検出スイッチ６５との間に検出開口部７８ａを設けているため、例えば合成樹脂製の閉鎖板を介して遊技球を検出する従来の弾球遊技機に比べて誤動作の可能性が低く、発射個数計数の信頼性が向上する利点もある。
【００４８】
スイッチ保持部６６の発射方向下流側に、遊技球を発射レール１６上に案内する傾斜案内部７８ｃを設けているため、スイッチ保持部６６を単なる検出スイッチ６５の保持部材としてだけでなく遊技球の案内部材としても有効に利用できる。
【００４９】
スイッチ保持部６６の後部側に、検出スイッチ６５をスイッチ保持部６６に対して後側から前後方向に着脱するための着脱開口部７６を設け、検出スイッチ６５をスイッチ保持部６６の裏側から前後方向に着脱できるようにしているため、検出スイッチ６５の着脱が容易で、しかも発射位置部材４８を支持板１３の前側に取り付ける等により着脱開口部７６を裏側から閉鎖することにより検出スイッチ６５の後側への移動を容易に規制することができる。
【００５０】
更に、スイッチ保持部６６の前部側に、検出スイッチ６５側に係合して検出スイッチ６５の発射レール１６と直交する方向への移動を規制する係合突起７９ａ〜７９ｃを設けているため、検出スイッチ６５を着脱開口部７６を介してスイッチ保持部６６に挿入するだけで、検出スイッチ６５と発射位置Ａの遊技球との距離を容易且つ確実に所定値にセットできる。
【００５１】
以上、本発明の実施形態について詳述したが、本発明は上記実施形態に限定されるものではなく、本発明の趣旨を逸脱しない範囲で種々の変更が可能である。例えば、スイッチ保持部６６はストッパー６４と一体であればよく、例えばスイッチ保持部６６を裏板部６３の裏側に配置して、検出スイッチ６５が裏板部６３を介して前側の発射位置Ａにある遊技球を検出するように構成してもよい。
【００５２】
スイッチ保持部６６は、検出スイッチ６５をストッパー６４の下流側に保持する場合、実施形態のように検出スイッチ６５を発射レール１６と直交する方向に保持するようにすることが望ましいが、例えば鉛直方向等、発射レール１６と直交する方向以外の方向に保持するようにしてもよい。
【００５３】
検出スイッチ６５の着脱は、スイッチ保持部６６の裏側から前後方向に行う以外に、例えばスイッチ保持部６６の前側から前後方向に着脱するようにしてもよいし、例えば発射レール１６に直交する方向に着脱するように構成してもよい。
【００５４】
実施形態のように検出スイッチ６５の着脱をスイッチ保持部６６の裏側から前後方向に行う場合、検出スイッチ６５の後側への移動を規制する規制部材を例えば発射位置部材４８と一体に設けてもよい。
【００５５】
検出スイッチ６５の所定方向の移動を規制する手段としては、例えば検出スイッチ６５側に係合突起を設け、その係合突起をスイッチ保持部６６側の係合溝等に係合させるように構成してもよい。また、検出スイッチ６５側には係合溝や係合突起を設けず、例えばスイッチ保持部６６側の係合突起を検出スイッチ６５側の例えば上下面側に係合させて検出スイッチ６５の所定方向への移動を規制するようにしてもよい。
【００５６】
発射位置部材４８は取り付け板４９側に対して常に一定の相対位置関係で固定されるように構成すればよく、例えば位置決め突起７０は１つであってもよい。
【００５７】
検出スイッチ６５は、鋼製の遊技球を無接触で検出できる近接式のものであれば良く、磁気感応型、誘導型、静電容量型等の種々の近接スイッチを使用することができる。
【００５８】
更に、実施形態ではアレンジボール機を例に挙げて説明したが、雀球遊技機等のその他の組み合わせ式の弾球遊技機の他、パチンコ機等の種々の弾球遊技機についても同様の構成を採用できる。パチンコ機の場合、１ゲーム毎に所定数の遊技球を発射させるような制御は行わないが、検出スイッチ６５やファール球検出スイッチ４４ａからの検出信号を例えば発射手段１４の制御に利用することは可能である。例えば球循環式のパチンコ機の場合、有効発射個数に応じた金額をカードから差し引く必要があるため、この有効発射個数の計数に検出スイッチ６５やファール球検出スイッチ４４ａからの検出信号を用いることができる。
【００５９】
また、例えば遊技盤１２の交換によりパチンコ機やアレンジボール機に機種交換可能とした場合、たとえパチンコ機として使用する際には必要のない検出スイッチ６５やファール球検出スイッチ４４ａでも、例えばアレンジボール機として使用する場合には有効に利用できる。
【００６０】
【発明の効果】
本発明によれば、発射手段１４によって発射された遊技球を遊技盤１２側に案内する発射レール１６と、該発射レール１６上に供給された遊技球を発射位置Ａに位置決めするストッパー６４と、発射位置Ａの遊技球を検出する検出スイッチ６５とを備えた弾球遊技機において、ストッパー６４と、検出スイッチ６５を保持するスイッチ保持部６６とを一体に形成しているため、例えばストッパー６４と検出スイッチ６５とを一度に取り付けることができ、組み立て作業を極めて容易に行うことができ、作業性が著しく向上する。また、ストッパー６４と検出スイッチ６５との相対位置関係が常に一定となるため、発射位置Ａの遊技球と検出スイッチ６５との位置関係も一定となり、常に正確な発射検出を行うことができるという利点もある。
【図面の簡単な説明】
【図１】本発明の一実施形態を示すアレンジボール機の斜視図である。
【図２】本発明の一実施形態を示すアレンジボール機の前面板を取り外した状態での正面図である。
【図３】本発明の一実施形態を示すアレンジボール機の縦断面図である。
【図４】本発明の一実施形態を示すアレンジボール機の発射レール近傍の正面図である。
【図５】本発明の一実施形態を示すアレンジボール機の発射位置部材の取り付け状態を示す分解平面図である。
【図６】本発明の一実施形態を示すアレンジボール機の発射位置部材の取り付け状態を示す分解斜視図である。
【図７】本発明の一実施形態を示すアレンジボール機の発射位置部材及び検出スイッチの分解斜視図である。
【図８】本発明の一実施形態を示すアレンジボール機の発射位置部材の斜視図である。
【符号の説明】
１２　　遊技盤
１４　　発射手段
１６　　発射レール
４８　　発射位置部材
４９　　取り付け板
６４　　ストッパー
６５　　検出スイッチ
６６　　スイッチ保持部
７６　　下部開口部（着脱開口部）
７８ａ　検出開口部
７８ｃ　傾斜面（傾斜案内部）
７９ａ〜７９ｃ　係合突起（係合部）
Ａ　　発射位置
【図１】
2004097271.tif 000003
【図２】
2004097271.tif 000004
【図３】
2004097271.tif 000005
【図４】
2004097271.tif 000006
【図５】
2004097271.tif 000007
【図６】
2004097271.tif 000008
【図７】
2004097271.tif 000009
【図８】
2004097271.tif 000010